(57)【要約】【課題】人物と背景のそれぞれに対して自動的に適正露出での撮影を行えるようにする。【解決手段】撮像装置１００は、被写体像を光電変換する撮像素子１４と、該撮像素子を用いて得られた画像信号から被写体領域の輝度を判定する輝度判定手段１２３と、画像信号から人物が被写体に含まれているか否かを判定する被写体判定手段１２１とを有する。制御手段５０は、輝度判定手段により被写体領域が特定輝度よりも低輝度と判定された場合において、被写体判定手段による判定結果に応じた撮影制御を行う。【選択図】図１
2008009203.tif 000002
【特許請求の範囲】
【請求項１】
被写体像を光電変換する撮像素子と、
該撮像素子を用いて得られた画像信号から被写体領域の輝度を判定する輝度判定手段と、
前記画像信号から人物が被写体に含まれているか否かを判定する被写体判定手段と、
前記輝度判定手段により被写体領域が特定輝度よりも低輝度と判定された場合において、前記被写体判定手段による判定結果に応じてフラッシュ発光の要否を選択した撮影制御を行う制御手段とを有することを特徴とする撮像装置。
【請求項２】
前記被写体判定手段は、前記画像信号に含まれる人物の顔を検出して人物が被写体に含まれていると判定することを特徴とする請求項１に記載の撮像装置。
【請求項３】
前記制御手段は、前記輝度判定手段により被写体領域が特定輝度よりも低輝度と判定され、かつ前記被写体判定手段により人物が被写体に含まれていると判定された場合は、フラッシュ発光を伴う撮影制御を行うことを特徴とする請求項１又は２に記載の撮像装置。
【請求項４】
前記制御手段は、前記フラッシュ発光を伴う撮影制御として、スローシンクロ撮影のための撮影制御を行うことを特徴とする請求項３に記載の撮像装置。
【請求項５】
前記制御手段は、前記輝度判定手段により被写体領域が特定輝度よりも低輝度と判定され、かつ前記被写体判定手段により人物が被写体に含まれていないと判定された場合は、フラッシュ発光させない撮影制御を行うことを特徴とする請求項１又は２に記載の撮像装置。
【請求項６】
被写体にフラッシュ光が到達するか否かを判定するフラッシュ判定手段を有し、
前記制御手段は、前記輝度判定手段により被写体領域が特定輝度よりも低輝度と判定され、前記被写体判定手段により人物が被写体に含まれていないと判定され、かつ前記フラッシュ判定手段により該被写体にフラッシュ光が到達すると判定された場合は、フラッシュ発光を伴う撮影制御を行うことを特徴とする請求項１又は２に記載の撮像装置。
【請求項７】
被写体にフラッシュ光が到達するか否かを判定するフラッシュ判定手段を有し、
前記制御手段は、前記輝度判定手段により被写体領域が特定輝度よりも低輝度と判定され、前記被写体判定手段により人物が被写体に含まれていないと判定され、かつ前記フラッシュ判定手段により該被写体にフラッシュ光が到達しないと判定された場合は、フラッシュ発光させない撮影制御を行うことを特徴とする請求項１又は２に記載の撮像装置。
【請求項８】
前記制御手段は、前記輝度判定手段により被写体領域が特定輝度よりも高輝度と判定された場合は、フラッシュ発光させない撮影制御を行うことを特徴とする請求項１から７のいずれか１つに記載の撮像装置。
【請求項９】
逆光状態か否かを判定する逆光判定手段を有し、
前記制御手段は、前記輝度判定手段により被写体が特定輝度よりも高輝度と判定され、前記逆光判定手段により逆光状態であると判定され、かつ前記被写体判定手段により人物が被写体に含まれていると判定された場合は、フラッシュ発光を伴う撮影制御を行うことを特徴とする請求項１又は２に記載の撮像装置。
【請求項１０】
前記制御手段は、前記フラッシュ発光を伴う撮影制御として、日中シンクロ撮影のための撮影制御を行うことを特徴とする請求項９に記載の撮像装置。
【請求項１１】
逆光状態か否かを判定する逆光判定手段を有し、
前記制御手段は、前記輝度判定手段により被写体領域が特定輝度よりも高輝度と判定され、前記逆光判定手段により逆光状態であると判定され、かつ前記被写体判定手段により主被写体が人物ではないと判定された場合は、フラッシュ発光させない撮影制御を行うことを特徴とする請求項１又は２に記載の撮像装置。
【請求項１２】
前記制御手段は、前記輝度判定手段により被写体領域が特定輝度よりも高輝度と判定され、前記逆光判定手段により逆光状態ではないと判定された場合は、フラッシュ発光させない撮影制御を行うことを特徴とする請求項９から１１のいずれか１つに記載の撮像装置。
【請求項１３】
被写体像を光電変換する撮像素子を用いて得られた画像信号から被写体領域の輝度を判定するステップと、
前記画像信号から主被写体が人物か否かを判定するステップと、
該被写体領域が特定輝度よりも低輝度と判定された場合に、主被写体が人物か否かの判定結果に応じてフラッシュ発光の要否を選択した撮影制御を行うステップとを有することを特徴とする撮像方法。
【発明の詳細な説明】
【技術分野】
【０００１】
本発明は、デジタルスチルカメラ等の撮像装置および撮像方法に関し、特にフラッシュを用いた撮影が可能な撮像装置に関する。
【背景技術】
【０００２】
フラッシュの発光と非発光とを制御する従来のカメラでは、被写体の輝度に応じて通常のシンクロ撮影かスローシンクロ撮影かフラッシュ非発光かを自動的に切り換える（特許文献１参照）。
【０００３】
但し、被写体輝度だけでフラッシュの発光／非発光を制御すると、フラッシュ発光が必要でない場合にフラッシュ発光が行われたり、逆光シーンにおいてフラッシュ発光が行われず人物の顔が暗く撮影されてしまったりするという問題が生ずる。
【０００４】
このような問題を解消する方法として、画像信号から人物の顔（顔画像）を検出し、顔画像の明るさに基づいて逆光か否かを判定し、逆光である場合はフラッシュ発光を行う技術が提案されている（特許文献２参照）。この技術によれば、主被写体が人物の場合は、顔の明るさが暗い逆光シーンで自動的にフラッシュ発光が行われるため、人物（顔）を適正な露出で撮影することが可能である。
【特許文献１】特開平７−２０５２４号（段落００１８〜００３５、図４、５等）
【特許文献２】特開２００３−９２７００号（段落００１１〜００１５、図５等）
【発明の開示】
【発明が解決しようとする課題】
【０００５】
主被写体が人物である場合において、背景も一緒に撮影したいときは、人物だけでなく背景に対しても適正な露出が得られる必要がある。しかしながら、特許文献２に開示された技術では、顔画像を用いて逆光判定するため、人物の顔に対しては適正な露出が得られるが、夜景等の暗いシーンではいわゆるスローシンクロ撮影が自動的に行われず、背景が真っ暗な画像が撮影されてしまう。
【０００６】
本発明は、人物と背景のそれぞれに対して自動的に適正露出での撮影を行えるようにした撮像装置および撮像方法を提供することを目的の１つとしている。
【課題を解決するための手段】
【０００７】
本発明の一側面としての撮像装置は、被写体像を光電変換する撮像素子と、該撮像素子を用いて得られた画像信号から被写体領域の輝度を判定する輝度判定手段と、該画像信号から人物が被写体に含まれているか否かを判定する被写体判定手段とを有する。そして、制御手段は、輝度判定手段により被写体領域が特定輝度よりも低輝度と判定された場合において、被写体判定手段による判定結果に応じてフラッシュ発光の要否を選択した撮影制御を行うことを特徴とする。
【０００８】
また、本発明の他の側面としての撮像方法は、被写体像を光電変換する撮像素子を用いて得られた画像信号から被写体領域の輝度を判定するステップと、該画像信号から主被写体が人物か否かを判定するステップと、該被写体領域が特定輝度よりも低輝度と判定された場合に、主被写体が人物か否かの判定結果に応じてフラッシュ発光の要否を選択した撮影制御を行うステップとを有することを特徴とする。
【発明の効果】
【０００９】
本発明によれば、暗いシーンや逆光シーンにおいて主被写体が人物であるか否かを自動判定し、その判定結果に応じてフラッシュを発光するか否か等を含めた撮影（露出）の制御が行われる。このため、人物と背景をそれぞれ適切な露出で撮影することができる。
【発明を実施するための最良の形態】
【００１０】
以下、本発明の実施例について図面を参照しながら説明する。
【実施例１】
【００１１】
図１は、本発明の実施例１である撮像装置としてのデジタルスチルカメラの構成を示す。本実施例のカメラは、撮影レンズ一体型のカメラである。但し、撮影レンズ（交換レンズ）の着脱が可能な一眼レフカメラにも本発明を適用することができる。
【００１２】
図１において、１００はカメラである。１０は撮影レンズ、１２は絞り機能を備えるシャッタユニットである。
【００１３】
１４は撮影レンズ１０により形成された光学像を電気信号に変換する撮像素子であり、ＣＣＤセンサやＣＭＯＳセンサ等により構成される。１２０は撮像素子１４から出力されたアナログ信号を増幅して撮影感度を設定するゲインアンプである。
【００１４】
１６は撮像素子１４から出力されたアナログ信号をデジタル信号に変換するＡ／Ｄ変換器である。１８は撮像素子１４、Ａ／Ｄ変換器１６およびＤ／Ａ変換器２６にクロック信号や制御信号を供給するタイミング発生回路であり、メモリ制御回路２２およびシステム制御回路５０により制御される。
【００１５】
２０は画像処理回路であり、Ａ／Ｄ変換器１６からのデジタル信号或いはメモリ制御回路２２からのデータに対して所定の画素補間処理や色変換処理を行い、画像データを生成する。さらに、画像処理回路２０は、画像データを用いて所定の演算処理を行う。
【００１６】
システム制御回路５０は、画像処理回路２０で行われた所定の演算処理の結果に基づいて露出制御回路４０およびＡＦ制御回路４２を制御する。これにより、ＴＴＬ（スルー・ザ・レンズ）方式のＡＦ（オートフォーカス）処理、ＡＥ（自動露出）処理およびＥＦ（フラッシュプリ発光）処理が行われる。さらに、画像処理回路２０は、画像データを用いた所定の演算処理の結果に基づいて、ＴＴＬ（スルー・ザ・レンズ）方式のＡＷＢ（オートホワイトバランス）処理を行う。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０および圧縮・伸長回路３２を制御する。
【００１８】
Ａ／Ｄ変換器１６からのデータは、画像処理回路２０およびメモリ制御回路２２を介して、又はメモリ制御回路２２を介して、画像表示メモリ２４又はメモリ３０に書き込まれる。
【００１９】
２４は画像表示メモリ、２６はＤ／Ａ変換器、２８はＴＦＴ−ＬＣＤ等により構成される画像表示部である。画像表示メモリ２４に書き込まれた表示用の画像データは、Ｄ／Ａ変換器２６を介して画像表示部２８により表示される。画像表示部２８を用いて撮像素子１４からの出力により生成された画像データを逐次表示すれば、電子ファインダ機能を実現することが可能である。
【００２０】
また、画像表示部２８は、システム制御回路５０の指示により任意に表示をオン／オフすることが可能であり、表示をＯＦＦにした場合には画像処理装置１００の電力消費を大幅に低減することができる。
【００２１】
３０は撮影画像データである静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２２】
３２は適応離散コサイン変換（ＡＤＣＴ）等により画像データを圧縮および伸長する圧縮・伸長回路であり、メモリ３０に格納された画像を読み込んで圧縮処理を行ったり伸長処理を行ったりする。そして、処理を終えたデータをメモリ３０に書き込む。
【００２３】
４０はシャッタユニット１２を制御する露出制御回路である。該露出制御回路４０は、画像処理回路２０で撮影画像データを用いて行われた所定の演算の結果に基づいてＡＥ（自動露出）処理を行う。また、露出制御回路４０は、フラッシュユニット４８と連携したフラッシュ調光機能も有する。
【００２４】
４２はＡＦ制御回路であり、画像処理回路２０で撮影画像データを用いて行われた所定の演算の結果に基づいて、ＡＦ（自動焦点調節）処理を行う。４４は撮像レンズ１０のズーミングを制御するズーム制御回路、４６はレンズバリア１０２の動作を制御するバリア制御回路である。
【００２５】
４８はフラッシュ光を発光して被写体を照明するフラッシュユニットであり、フラッシュ調光機能を有するほか、ＡＦ補助光の投光機能も有する。
【００２６】
露出制御回路４０およびＡＦ制御回路４２はＴＴＬ方式で制御されている。システム制御回路５０は、撮影画像データを画像処理回路２０によって演算した結果に基づいて、露出制御回路４０およびＡＦ制御回路４２を制御する。
【００２７】
システム制御回路５０は、カメラ１００の全体を制御する。５２はシステム制御回路５０の動作用の定数、変数、コンピュータプログラム等を記憶するメモリである。
【００２８】
システム制御回路５０は、低輝度判定演算部１２３、逆光シーン判定演算部１２４、被写体判定演算部１２１を含む。
【００２９】
低輝度判定演算部１２３は、メモリ制御回路２２を介して得られた画像データから被写体領域、つまりは本カメラ１００によって撮影される撮影領域の輝度レベルを演算し、該被写体領域が特定輝度よりも低輝度か否かを判定する。
【００３０】
なお、該特定輝度とは、設定されている撮影モードや感度に応じて決定される。例えば、撮影モードがポートレートモードに設定されていれば被写体が人物である可能性が極めて高いと考えられるため、被写体領域がアンダーになりにくいよう該特定輝度を高めに設定すればよい。また、感度が高く設定されていれば被写体領域がアンダーになりにくいため、該特定輝度を低めに設定すればよい。
【００３１】
逆光シーン判定演算部１２４は、メモリ制御回路２２を介して得られた画像データから被写体領域の輝度レベルを演算する。そして、被写体領域の中央部や後述する被写体判定演算部１２１により判定された人物の領域がその周囲に比べて暗いか否かによって逆光シーンであるか否かを判定する。
【００３２】
被写体判定演算部１２１は、画像処理回路２０を介して得られた画像データから主被写体の特徴を検出するための演算処理を行い、被写体領域に人物が含まれるか否か、つまりは主被写体が人物か否か（背景か）を判定する。画像データに基づく主被写体が人物か否かの判定方法は特に限定されない。例えば、人物の代表的なシルエットをパターンマッチング法によって検出したり、肌の色を検出したりすることで判定が可能である。また、図１に示すように、被写体判定演算部１２１に顔判定演算部１２２を設け、画像データから人物の顔の情報（目、鼻、口、耳等）をパターン認識技術等を利用して検出することで、主被写体が人物であることをより確実に判定することができる。
【００３３】
なお、ここにいう主被写体が人物の場合とは、背景中に不特定の人物が含まれるような場合は想定しておらず、所定の距離（例えば、数メートル）以内に人物が含まれる場合を想定している。人物までの距離は、撮影レンズ１０内に含まれるズームレンズの位置やフォーカスレンズの合焦位置等に基づいて算出したり、測距センサを用いたりして得ることができる。
【００３４】
システム制御回路５０は、低輝度判定演算部１２３、逆光シーン判定演算部１２４および被写体判定演算部１２１での判定結果に応じて露出制御回路４０を制御する。すなわち、該判定結果に応じて本カメラの撮影制御を行う。
【００３５】
５４はシステム制御回路５０でのプログラムの実行に応じて、カメラ１００の動作状態やメッセージ等を表す文字、画像および音声等を出力するＬＣＤ，ＬＥＤやスピーカを含む表示部である。該表示部５４は、操作スイッチの近辺等、視認し易い位置に配置されている。また、表示部５４の一部は、光学ファインダ１０４内に設置されている。
【００３６】
５６はデータを電気的に消去・記録可能な不揮発性メモリであり、例えばＥＥＰＲＯＭが用いられる。
【００３７】
６０、６２、６４、６６、６８および７０は、システム制御回路５０の各種の動作指示を入力するための操作スイッチであり、プッシュスイッチ、ダイアル、タッチパネル、視線検知によるポインティングデバイス、音声認識デバイス等で構成される。
【００３８】
６０はモードダイアルスイッチで、電源のオン／オフや各種撮影モードの選択のために操作される。
【００３９】
６２は撮影準備スイッチ（ＳＷ１）であり、不図示のシャッタボタンの半押し操作（第１ストローク操作）でオンになる。該撮影準備スイッチ６２がオンすると、ＡＦ処理、ＡＥ処理、ＡＷＢ処理、ＥＦ（フラッシュプリ発光）処理等の撮影準備動作が開始する。
【００４０】
６４は撮影スイッチ（ＳＷ２）であり、シャッタボタンの全押し操作（第２ストローク操作）でオンになる。該撮影スイッチ６４がオンすると撮影処理が実行される。撮影処理では、撮像素子１４から読み出された信号が、Ａ／Ｄ変換器１６およびメモリ制御回路２２を介して画像データとしてメモリ３０に書き込まれる。また、画像処理回路２０やメモリ制御回路２２での演算を用いた現像処理も行われる。さらに、撮影処理に続いて、メモリ３０から画像データが読み出され、圧縮・伸長回路３２で圧縮された画像データを記録媒体２００，２１０に書き込む記録処理も実行される。
【００４１】
６６は画像表示ＯＮ／ＯＦＦスイッチであり、画像表示部２８のＯＮ／ＯＦＦを設定するためのスイッチである。
【００４２】
６８はクイックレビューＯＮ／ＯＦＦスイッチであり、撮影直後に撮影画像データを自動再生するクイックレビュー機能のＯＮ／ＯＦＦを設定するためのスイッチである。なお、本実施例では、クイックレビューＯＮ／ＯＦＦスイッチ６８は、画像表示部２８がＯＦＦの場合においてクイックレビュー機能のＯＮ／ＯＦＦを設定するために用いられる。
【００４３】
７０は操作部であり、メニュー表示ボタン、メニュー決定ボタン、フラッシュ設定ボタン、画像再生ボタン、画質選択ボタン、露出補正ボタン、日付／時間設定ボタン等が設けられている。
【００４４】
８０は電源制御回路であり、電源８６の装着の有無や残容量を検出し、検出結果およびシステム制御回路５０の指示に基づいてＤＣ−ＤＣコンバータを制御して、必要な電圧を必要な期間、記録媒体２００を含む各ブロックへ供給する。
【００４５】
８２は電源制御回路８０側のコネクタ、８４は電源側のコネクタである。８６はアルカリ電池やリチウム電池等の一次電池やＮｉＣｄ電池やＮｉＭＨ電池、Ｌｉ電池等の二次電池、ＡＣアダプター等からなる電源である。
【００４６】
９０，９４はメモリカードやハードディスク等の記録媒体２００，２１０とのインタフェースである。９２，９６は記録媒体２００，２１０との接続を行うコネクタである。９８は記録媒体２００，２１０がカメラ１００に装着されているか否かを検知する記録媒体検知回路である。
【００４７】
なお、本実施例のカメラは、記録媒体２００，２１０を取り付けるインタフェース９０，９４およびコネクタ９２，９６を２系統有するが、これらを１系統又は３系統以上設けてもよい。また、複数系統のインタフェースおよびコネクタの規格を異ならせてもよい。
【００４８】
レンズバリア１０２は、カメラ１００の非使用時に撮影レンズ１０の前面を覆って撮影レンズ１００の汚れや破損を防止するために設けられている。
【００４９】
光学ファインダ１０４は、画像表示部２８による電子ビューファインダ機能を使用しない場合に被写体を観察するために設けられている。
【００５０】
１１０は通信回路であり、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００５１】
１１２は通信回路１１０によりカメラ１００を他の機器と接続するコネクタや無線通信用のアンテナである。
【００５２】
記録媒体２００，２１０は、半導体メモリや磁気ディスク等から構成される記録部２０２，２１２と、カメラ１００とのインタフェース２０４，２１４およびカメラ１００と接続を行うコネクタ２０６，２１６とを備えている。
【００５３】
図２には、本実施例のカメラ１００における撮影処理ルーチンのうち測光処理ルーチンを示す。撮影処理は、システム制御回路５０が、メモリ５２に格納されたコンピュータプログラムに従って実行する。図２において、「Ｓ」はステップを意味する。これは後述する他の図でも同じである。
【００５４】
撮影者によって撮影準備スイッチＳＷ１が押されると、システム制御回路５０は、前述した撮影準備動作を開始する。これにより、測光演算処理が開始される。
【００５５】
ステップ１００では、システム制御回路５０（低輝度判定演算部１２３）は、被写体領域が低輝度か否かを判定する。低輝度でなければ（高輝度であれば）、ステップ１０３に進み、露出制御回路４０にフラッシュ発光を行わない撮影（無フラッシュ撮影）を指示して処理を終了する。
【００５６】
ステップ１００で被写体領域が低輝度であると判定した場合は、ステップ１０１に進み、被写体判定演算部１２１により、主被写体は人物か否かを判定する。主被写体が人物ではない場合は、ステップ１０３に進み、露出制御回路４０に通常撮影を指示して処理を終了する。主被写体が人物である場合は、ステップ１０２に進み、露出制御回路４０にフラッシュ発光を伴う撮影（フラッシュ撮影）を指示して処理を終了する。
【００５７】
撮影が指示された露出制御回路４０は、該指示された撮影と測光結果に応じたシャッタスピード、絞り値およびフラッシュ発光量を設定し、撮影スイッチＳＷ２が押されるのを待ってＡＥ制御による記録用画像の撮影を行う。これについては、後述する他の実施例でも同様である。
【実施例２】
【００５８】
図３には、被写体判定演算部１２１に顔判別演算部１２２を設けた場合の測光処理ルーチンを示している。
【００５９】
ステップ１００では、システム制御回路５０（低輝度判定演算部１２３）は、被写体領域が低輝度か否かを判定する。低輝度でなければ（高輝度であれば）、ステップ１０３に進み、露出制御回路４０に無フラッシュ撮影を指示して処理を終了する。
【００６０】
ステップ１００で被写体領域が低輝度であると判定した場合は、ステップ２００に進み、顔判別演算部１２２により人物の顔を検出する処理を行う。人物の顔が検出されない場合は、ステップ２０３において主被写体は背景であると判定し、ステップ１０３に進み、露出制御回路４０に通常撮影を指示して処理を終了する。人物の顔が検出された場合は、ステップ２０１において主被写体は人物であると判定し、ステップ２０２に進み、露出制御回路４０にスローシンクロ撮影のためのフラッシュ撮影を指示して処理を終了する。
【００６１】
スローシンクロ撮影は、夜景を背景として人物を撮影するような場合に、通常よりシャッター時間を長く設定し、シャッター時間の最初又は最後にフラッシュを発光して人物を明るく写すとともに、背景も適正露出で写す撮影方法である。フラッシュ発光量を、通常のフラッシュ撮影よりも低くしてもよい。
【００６２】
従来のカメラでは、このような撮影シーンでは、撮影者の操作によってスローシンクロ撮影モード（夜景モード等）を設定する必要があったが、本実施例のカメラでは自動的にスローシンクロ撮影を行うことができる。
【実施例３】
【００６３】
図４には、被写体判定演算部１２１に顔判別演算部１２２を設けるとともに、主被写体が背景である場合にフラッシュ光の到達距離に応じた撮影制御を行う場合の測光処理ルーチンを示している。
【００６４】
本実施例では、図１中に括弧書きで示すように、システム制御回路５０内に、背景までの距離とフラッシュ光の到達距離とを比較するフラッシュ到達判定部１２５を設ける。背景までの距離情報は、撮影レンズ１０に含まれるズームレンズの位置情報とフォーカスレンズの合焦位置情報とに基づいて得ることができる。また、フラッシュ光の到達距離は、撮影感度、絞り値、フラッシュユニット４８の発光量に基づいて得ることができる。
【００６５】
ステップ１００では、システム制御回路５０（低輝度判定演算部１２３）は、被写体領域が低輝度か否かを判定する。低輝度でなければ（高輝度であれば）、ステップ１０３に進み、露出制御回路４０に無フラッシュ撮影を指示して処理を終了する。
【００６６】
ステップ１００で被写体領域が低輝度であると判定した場合は、ステップ２００に進み、顔判別演算部１２２により人物の顔を検出する処理を行う。人物の顔が検出されない場合は、ステップ２０３において主被写体は背景であると判定し、ステップ３００に進む。
【００６７】
ステップ３００では、フラッシュ到達判定部１２５により背景までの距離がフラッシュ光の到達距離より近いか否か、すなわち背景がフラッシュ光の到達範囲内か否かを判別する。背景までの距離がフラッシュ光の到達距離より近い場合は、ステップ３０１に進み、露出制御回路４０に通常のフラッシュ撮影を指示して処理を終了する。また、背景までの距離がフラッシュ光の到達距離より遠い場合は、ステップ３０２に進み、露出制御回路４０にフラッシュ発光の禁止を指示して処理を終了する。
【００６８】
一方、ステップ２００において、人物の顔が検出された場合は、ステップ２０１において主被写体は人物であると判定し、ステップ２０２に進み、露出制御回路４０にスローシンクロ撮影のためのフラッシュ撮影を指示して処理を終了する。
【００６９】
なお、本実施例では、ズームレンズやフォーカスレンズの位置情報から背景までの距離情報を得ているが、フラッシュを発光させたときの背景による反射光量に基づいて、背景がフラッシュ光の到達範囲内にあるか否かを判定してもよい。
【実施例４】
【００７０】
図５には、実施例３に、さらに逆光判定ステップを設け、その結果に応じた撮影制御を行う場合の測光処理ルーチンを示している。
【００７１】
ステップ１００では、システム制御回路５０（低輝度判定演算部１２３）は、被写体領域が低輝度か否かを判定する。被写体領域が低輝度であると判定した場合は、ステップ２００に進み、顔判別演算部１２２により人物の顔を検出する処理を行う。人物の顔が検出されない場合は、ステップ２０３において主被写体は背景であると判定し、ステップ３００に進む。ステップ３００〜ステップ３０２の処理は、実施例３で説明した通りである。
【００７２】
一方、ステップ２００において、人物の顔が検出された場合は、ステップ２０１において主被写体は人物であると判定し、ステップ２０２に進み、露出制御回路４０にスローシンクロ撮影のためのフラッシュ撮影を指示して処理を終了する。
【００７３】
また、ステップ１００において、被写体領域が低輝度でなければ（高輝度であれば）、ステップ４０１に進み、逆光シーン判定演算部１２４により逆光シーンか否かを判定する。逆光シーンと判定された場合は、ステップ３０３に進み、ステップ２００と同様に、顔判別演算部１２２により人物の顔を検出する処理を行う。人物の顔が検出されない場合は、ステップ３０６において主被写体は背景であると判定し、ステップ３０７に進む。ステップ３０７では、露出制御回路４０に無フラッシュ撮影を指示して処理を終了する。
【００７４】
一方、ステップ３０３で人物の顔が検出された場合は、ステップ３０４において主被写体は人物であると判定し、ステップ３０５に進み、露出制御回路４０に日中シンクロ撮影のためのフラッシュ撮影を指示して処理を終了する。
【００７５】
日中シンクロ撮影は、逆光シーンにおいて被写体（人物）が背景に比べて暗くなっている場合に、フラッシュを発光して被写体の輝度を背景と同等にする撮影方法である。従来のカメラでは、このような逆光シーンでは、撮影者の操作によりフラッシュを強制的に発光させるような設定を行う必要があったが、本実施例のカメラでは自動的に日中シンクロ撮影を行うことができる。
【００７６】
なお、上記各実施例では、被写体が人物か背景かを判定する機能を有する場合について説明したが、これに加えて、ペットやぬいぐるみのように顔が識別できるものであれば、それを主被写体と判定して、人物を主被写体と判定した場合と同様の撮影処理を行う機能を設けてもよい。
【図面の簡単な説明】
【００７７】
【図１】本発明の実施例１であるカメラの構成を示すブロック図。
【図２】実施例１のカメラにおける撮影処理（測光処理）シーケンスを示すフローチャート。
【図３】本発明の実施例２であるカメラにおける撮影処理（測光処理）シーケンスを示すフローチャート。
【図４】本発明の実施例３であるカメラにおける撮影処理（測光処理）シーケンスを示すフローチャート。
【図５】本発明の実施例４であるカメラにおける撮影処理（測光処理）シーケンスを示すフローチャート。
【符号の説明】
【００７８】
１０  撮影レンズ
１２  シャッタユニット
１４  撮像素子
２０  画像処理回路
４０  露出制御回路
４８  フラッシュユニット
５０  システム制御回路
１２１  被写体判定演算部
１２２  顔判定演算部
１２３  低輝度判定演算部
１２４  逆光シーン判定演算部
１２５  フラッシュ到達判定部
【図１】
2008009203.tif 000003
【図２】
2008009203.tif 000004
【図３】
2008009203.tif 000005
【図４】
2008009203.tif 000006
【図５】
2008009203.tif 000007